(57)【特許請求の範囲】
【請求項１】
本体筐体と、この本体筐体の前面に取付けられて意匠部となる前面側パネルと吸込グリルとを備え、前記前面側パネルに設けた軸に前記吸込グリルの回動用アームを着脱自在にはめ込んで前記吸込グリルを回動自在に支持した空気調和機の室内ユニットにおいて、
前記回動用アームの外周部に回動用アーム外周凸部を設け、前記前面側パネルに前記回動用アーム外周凸部を掛けて前記吸込グリルを所定の斜めの位置に保持できる位置関係にした保持部を設け、前記回動用アームの側面部に回動用アーム側面凸部を設け、前記前面側パネルに前記回動用アーム側面凸部を掛けて吸込グリルを所定の斜めの位置に保持できる位置関係にした開口部を設けたことを特徴とする空気調和機の室内ユニット。
【請求項２】
前記前面側パネルの保持部の側部に溝を設けたことを特徴とする請求項１記載の空気調和機の室内ユニット。
【請求項３】
前記前面側パネルの保持部を湾曲した形状としたことを特徴とする請求項１の空気調和機の室内ユニット。
【請求項４】
本体筐体と、この本体筐体の前面に取付けられて意匠部となる前面側パネルと吸込グリルとを備え、前記前面側パネルに設けた軸に前記吸込グリルの回動用アームを着脱自在にはめ込んで前記吸込グリルを回動自在に支持した空気調和機の室内ユニットにおいて、
前記回動用アームの両側面部に異なる位置関係にある第１の回動用アーム側面凸部と、第２の回動用アーム側面凸部とを設け、
前記吸込グリルが閉の状態から浅い角度の位置に保持された場合に、前記第１の回動用アーム側面凸部と係合する第１の前面側パネル側凸部と、前記吸込グリルが外れないように前記第２の回動用アーム側面凸部に当接する第２の前面側パネル側凸部とを前記前面側パネルに設けたことを特徴とする空気調和機の室内ユニット。
【請求項５】
本体筐体と、この本体筐体の前面に取付けられて意匠部となる前面側パネルと吸込グリルとを備え、前記前面側パネルに前記吸込グリルの回動用アームを着脱自在にはめ込んで前記吸込グリルを回動自在に支持した空気調和機の室内ユニットにおいて、
前記回動用アームに軸を設け、前記前面側パネルに前面側へ開放し、前記軸の奥上側を端面で支持し、前記軸の手前側と下側に前記軸が移動できる空間を持たせたＵ字形状の溝を設け、前記前面側パネルの溝の奥側に弾力性のある材料を用い、前記軸の前面側を保持するように先端を巻き込んだコ字形状のバネを固定装着し、前記吸込グリルの背面下側に左右一対で形成した爪が、前記前面パネルの掛け穴に掛かり、前記回動用アームの軸を前記バネにはめこみ前記吸込グリルを回動自在に支持したことを特徴とする空気調和機の室内ユニット。
【発明の詳細な説明】
【０００１】
【発明の属する技術分野】
この発明は、前面側パネルに吸込グリルを回動自在に取付けた空気調和機の室内ユニットに関するものである。
【０００２】
【従来の技術】
図１２〜１４は、例えば特開平８−１５９５０８号公報に示された従来の空気調和機の室内ユニットの吸込グリルの取付け構造を示す断面図である。図において、２１は空気調和機の室内ユニット本体の前面を覆う前面側パネル、２２は前面側パネル２１に回動自在に取付けられる吸込グリル、２３は吸込グリル２２の背面側に左右一対で取付けられた回動用アーム、２４は回動用アーム２３に設けられた孔、２５は回動用アーム２３に設けられた孔２４へはまる前面側パネル２１に設けられた軸、２８は前面側パネル２１に形成された引掛り部、２９は前面側パネル２１に形成された回動用アームの摺動用ガイド部、３０は前面側パネル２１に形成された回動用アームの嵌合部、３１は孔２４に設けられた切欠き、３２は孔２４に設けられた軸２５を所定の位置へ導くための軸用ガイド部、３３は回動用アーム２３に設けられたリブ、３４はリブ３３を所定の位置へ導くために前面側パネル２１に設けられたリブ用ガイド部である。
【０００３】
次に動作について説明する。図１２のように前面側パネル２１に取付けられた吸込グリル２２を所定の斜めの位置まで回動させると、リブ３３は嵌合部３０にはまって吸込グリル２２は図１３のように所定の斜めの位置で保持できる。
さらに吸込グリル２２を水平位置まで回動させると、リブ３３はガイド部２６の先端が位置することになり、吸込グリル２２を前面側に引くと孔２４と軸２５から外れ、図１４のように吸込グリル２２を前面側パネル２１に着脱することができる。
【０００４】
【発明が解決しようとする課題】
従来の空気調和機の室内ユニットは以上のように構成されているため、吸込グリル２２を着脱する際に、回動用アーム２３を変形させる必要があるため、回動用アーム２３の幅を狭くする必要があり、着脱時に回動用アーム２３と吸込グリル２２の応力が高くなるという問題点があった。
また、その対応として回動用アーム２３が大きくなるため、空気調和機の室内ユニットへ回動アーム２３を配置する場所の制約が多いという問題点があった。
【０００５】
この発明は、上記のような問題点を解決するためになされたもので、回動用アームの強度・応力対策と、空気調和機の室内ユニットへ回動アームを配置する場所の制約を減らすことを目的とする。
【０００６】
【課題を解決するための手段】
この発明に係る空気調和機の室内ユニットは、本体筐体と、この本体筐体の前面に取付けられて意匠部となる前面側パネルと吸込グリルとを備え、前面側パネルに設けた軸に前記吸込グリルの回動用アームを着脱自在にはめ込んで吸込グリルを回動自在に支持した空気調和機の室内ユニットにおいて、回動用アームの外周部に回動用アーム外周凸部を設け、前面側パネルに回動用アーム外周凸部を掛けて吸込グリルを所定の斜めの位置に保持できる位置関係にした保持部を設け、回動用アームの側面部に回動用アーム側面凸部を設け、前面側パネルに回動用アーム側面凸部を掛けて吸込グリルを所定の斜めの位置に保持できる位置関係にした開口部を設けたことを特徴とする。
【０００７】
また、前面側パネルの保持部の側部に溝を設けたものである。
【０００８】
また、前面側パネルの保持部を湾曲した形状としたものである。
【００１０】
また、本体筐体と、この本体筐体の前面に取付けられて意匠部となる前面側パネルと吸込グリルとを備え、前面側パネルに設けた軸に吸込グリルの回動用アームを着脱自在にはめ込んで吸込グリルを回動自在に支持した空気調和機の室内ユニットにおいて、回動用アームの両側面部に異なる位置関係にある第１の回動用アーム側面凸部と、第２の回動用アーム側面凸部とを設け、吸込グリルが閉の状態から浅い角度の位置に保持された場合に、第１の回動用アーム側面凸部と係合する第１の前面側パネル側凸部と、吸込グリルが外れないように第２の回動用アーム側面凸部に当接する第２の前面側パネル側凸部とを前面側パネルに設けたことを特徴とする。
【００１２】
また、本体筐体と、この本体筐体の前面に取付けられて意匠部となる前面側パネルと吸込グリルとを備え、前面側パネルに吸込グリルの回動用アームを着脱自在にはめ込んで吸込グリルを回動自在に支持した空気調和機の室内ユニットにおいて、回動用アームに軸を設け、前面側パネルに前面側へ開放し、軸の奥上側を端面で支持し、軸の手前側と下側に軸が移動できる空間を持たせたＵ字形状の溝を設け、前面側パネルの溝の奥側に弾力性のある材料を用い、軸の前面側を保持するように先端を巻き込んだコ字形状のバネを固定装着し、吸込グリルの背面下側に左右一対で形成した爪が、前面パネルの掛け穴に掛かり、回動用アームの軸をバネにはめこみ吸込グリルを回動自在に支持したものである。
【００１３】
【発明の実施の形態】
実施の形態１．
以下、この発明の実施の形態１を図について説明する。
図１〜５はこの発明の実施の形態１を示す図である。
図１は空気調和機の室内ユニット本体の斜視図、図２は吸込グリルを回動させる状態を示す空気調和機の室内ユニット本体の斜視図と側面図である。
図１，２において、１は空気調和機の室内ユニット本体の前面を覆う前面側パネル、２は前面側パネル１に回動自在に取付けられる吸込グリルである。
【００１４】
図３は吸込グリルを前面側パネルに取付けた状態を示す要部側面図、図４は吸込グリルを斜め下方に回動させた状態を示す要部側面図と要部背面図、図５は吸込グリルを前面側パネルに着脱する状態を示す要部側面図である。
図３〜５において、１は前面側パネル、２は吸込グリル、３は吸込グリル２の背面上側に左右一対で形成した回動用アーム、４は前面側パネル１に形成した回動用アーム３がはまる軸、５は回動用アーム３の外周に形成した凸部、６は回動用アーム３の外周下部位置して回動用アーム３を保持する前面側パネル１に形成した保持部、７は回動用アーム３の両側面に形成した凸部、８は回動用アーム３両側面に位置する前面側パネル１に形成した壁、９は吸込みグリル２を斜め下方に回動させた状態にした時に回動用アーム側面凸部７が掛かるための壁８に形成した開口部である穴、１０は前面側パネル保持部６の両側面に形成した溝である。
【００１５】
次に動作について説明する。
空気調和機の室内ユニットは図１のように示され、図１では吸込グリル２は閉じている。図２では吸込グリル２を回動させる状態を示している。図３から図５では回動用アーム３と、前面側パネル１の軸４付近を拡大して示している。回動用アーム３は、図３のように前面側パネル１の軸４と、前面側パネル保持部６に保持されている。
【００１６】
吸込グリル２の下端部を斜め下方に移動させるようにして回動させると、回動用アーム外周凸部５が前面側パネル保持部６を滑る。この時前面側パネル保持部６の両側面には溝１０があるため、前面側パネル保持部６は変形することができ、また前面側パネル保持部６が湾曲した形状となっているため、所定の斜め方向まで回動させると回動用アーム外周凸部５が滑らかに乗り越えることができる。すると、図４のように回動用アーム外周凸部５の背面側が前面側パネル保持部６に掛かり、同時に回動用アーム側面凸部７が穴９の端面に掛かるため、吸込グリル２は斜め下方を向いたまま保持される。この時回動用アーム３の先端部は軸４の背面側に位置するため、吸込グリル２が外れないようになっている。
【００１７】
さらに、吸込グリル２をほぼ水平状態に回動させると、図５のように回動用アーム３の先端部は軸４の下側に位置することとなり、吸込グリル２を前方に向けて引くと回動用アーム３が軸４と前面側パネル保持部６から離れ、吸込グリル２を前面側パネル１から取外すことができる。
【００１８】
逆に吸込グリル２を前面側パネル１へ取付ける場合は、取外しと逆の順序で行う。吸込グリル２を水平方向に向け、回動用アーム３の先端を軸４と前面側パネル保持部６の間に挿入する。この状態で吸込グリル２の下端部を下方に移動させるようにして回動させると、回動用アーム３の先端が前面側パネル保持部６に案内されて軸４に沿って動き、さらに吸込グリル２を下方向を向くまで回動させると吸込グリル２の取付けが終了する。
【００１９】
吸込グリル２が上記のような動作で容易に取外すことが出来るため、リサイクル処理時において吸込グリル２の取外し等の分解作業が容易となる。
また、吸込グリル２の着脱時に、回動用アーム３への応力が小さくなることにより、材質の選択範囲が広がり、よりリサイクルに適した材質も選択可能となる。
【００２０】
実施の形態２．
実施の形態１では、吸込グリル２を斜め下方を向いたまま保持するために、回動用アーム外周凸部５、前面側パネル保持部６、回動用アーム側面凸部７、穴９を用いているが、必ずしもこの方法による必要はない。
図６〜８はこの発明の実施の形態２を示す図である。
図６は吸込グリルを前面側パネルに取付けた状態を示す要部側面図、図７は吸込グリルを斜め下方に回動させた状態を示す要部側面図と要部背面図、図８は吸込グリルを前面側パネルに着脱する状態を示す要部側面図である。
図６〜８において、１は前面側パネル、２は吸込グリル、３は吸込グリル２の背面上側に左右一対で形成した回動用アーム、４は前面側パネル１に形成した回動用アーム３がはまる軸、６は回動用アーム３の外周下部位置して回動用アーム３を保持する前面側パネル１に形成した保持部、８は回動用アーム３両側面に位置する前面側パネル１に形成した壁、１０は前面側パネル保持部６の両側面に形成した溝、１１は回動用アーム３の片側面に形成した凸部ａ、１２は回動用アーム３のもう一方の片側面に形成した凸部ｂ、１３は吸込みグリル２を斜め下方に回動させた状態にした時に回動用アーム側面凸部ａ１１が掛かるための壁８に形成した凸部ｃ、１４は吸込みグリル２を水平位置まで回動させた状態にした時に回動用アーム側面凸部ｂ１２が掛かるための壁８に形成した凸部ｄである。
【００２１】
図６の状態から吸込グリル２の下端部を斜め下方に移動させるようにして回動させると、回動用アーム３の外周部が前面側パネル保持部６を滑る。この時所定の斜め方向まで回動させると、図７のように回動用アーム側面凸部ａ１１が前面側パネル壁凸部ｃ１３に掛かるため、吸込グリル２は斜め下方を向いたまま保持される。
この時回動用アーム側面凸部ｂ１２が前面側パネル壁凸部ｄ１４の背面側に位置するため、吸込グリル２が外れないようになっている。
【００２２】
さらに、吸込グリル２をほぼ水平状態に回動させると、図８のように回動用アーム側面凸部ｂ１２が前面側パネル壁凸部ｄ１４に掛かるため、吸込グリル２は水平状態でも保持することができる。回動用アーム３の先端部は軸４の下側に位置することとなり、吸込グリル２を前方に向けて引くと回動用アーム３が軸４と前面側パネル保持部６から離れ、吸込グリル２を前面側パネル１から取外すことができる。
【００２３】
実施の形態３．
図９〜１１はこの発明の実施の形態３を示す図である。
図９は吸込グリルを前面側パネルに取付けた状態を示す要部側面図、図１０は吸込グリルを前面側パネルに取付けた状態を示す要部側面図、図１１は吸込グリルを前面側パネルに着脱する状態を示す要部側面図である。
図９〜１１において、１は前面側パネル、２は吸込グリル、３は吸込グリル２の背面上側に左右一対で形成した回動用アーム、８は回動用アーム３両側面に位置する前面側パネル１に形成した壁、１５は回動用アーム３に形成した軸、１６は軸１５に形成された着脱用ガイド部、１７は軸１５の奥上側を端面で支持し、軸１５の手前側と下側に軸が移動できる空間を持たせたＵ字形状に形成した溝、１８は弾力性のある材料を用い、軸１５の前面側を保持するように先端を巻き込んだコ字形状で前面側パネルの溝の奥側に固定装着したバネ、１９は吸込グリル２の背面下側に左右一対で形成した爪、２０は前面側パネル１に形成した爪１９の掛かり穴である。
【００２４】
図９の状態から吸込グリル２の下端部を斜め下方に移動させるようにして回動させると、図１０のように爪１９の突起部端面が掛かり穴２０の端面を滑り、掛かり部を乗り越えようとする。この時吸込グリル２全体が下方に下がるため、軸を保持しているバネ１８は変形する。よって吸込グリル２、回動アーム３、爪１９が変形することがないので、その応力が発生しない。
【００２５】
吸込グリル２をほぼ水平状態に回動させると、図１１のように着脱用ガイド部１６も水平を向くため、バネ１８の先端と軸１５の掛かり代は少なくなる。この状態で吸込グリル２を前方に向けて引くと、軸１５がバネ１８を押し広げ、前面側パネル１から取外すことができる。
【００２６】
【発明の効果】
以上のようにこの発明によれば、回動用アームの強度・応力対策と、空気調和機の室内ユニットへ回動アームを配置する場所の制約を減らすことのできる構造を得られる効果がある。
また、吸込グリルが容易に取外すことが出来るため、リサイクル処理時において吸込グリルの取外し等の分解作業が容易となる。
また、吸込グリルの着脱時に、回動用アームへの応力が小さくなることにより、材質の選択範囲が広がり、よりリサイクルに適した材質も選択可能となる。
【図面の簡単な説明】
【図１】  この発明の実施の形態１による空気調和機の室内ユニット本体の斜視図である。
【図２】  実施の形態１による吸込グリルを回動させる状態を示す空気調和機の室内ユニット本体の斜視図と側面図である。
【図３】  実施の形態１における吸込グリルを前面側パネルに取付けた状態を示す要部側面図である。
【図４】  実施の形態１における吸込グリルを斜め下方に回動させた状態を示す要部側面図と要部背面図である。
【図５】  実施の形態１における吸込グリルを前面側パネルに着脱する状態を示す要部側面図である。
【図６】  実施の形態２における吸込グリルを前面側パネルに取付けた状態を示す要部側面図である。
【図７】  実施の形態２における吸込グリルを斜め下方に回動させた状態を示す要部側面図と要部背面図である。
【図８】  実施の形態２における吸込グリルを前面側パネルに着脱する状態を示す要部側面図である。
【図９】  実施の形態３における吸込グリルを前面側パネルに取付けた状態を示す要部側面図である。
【図１０】  実施の形態３における吸込グリルを前面側パネルに取付けた状態を示す要部側面図である。
【図１１】  実施の形態３における吸込グリルを前面側パネルに着脱する状態を示す要部側面図である。
【図１２】  従来の空気調和機の室内ユニットにおける吸込グリルを前面側パネルに取付けた状態を示す要部側面図である。
【図１３】  従来の空気調和機の室内ユニットにおける吸込グリルを斜め下方に回動させた状態を示す要部側面図である。
【図１４】  従来の空気調和機の室内ユニットにおける吸込グリルを前面側パネルに着脱する状態を示す要部側面図である。
【符号の説明】
１  前面側パネル、２  吸込グリル、３  回動用アーム、４  軸、５  回動用アーム外周凸部、６  前面側パネル保持部、７  回動用アーム側面凸部、８  壁、９  穴、１０  溝、１１  回動用アーム側面凸部ａ、１２  回動用アーム側面凸部ｂ、１３  前面側パネル壁凸部ｃ、１４  前面側パネル壁凸部ｄ、１５  軸、１６  着脱用ガイド部、１７  溝、１８  バネ、１９  爪、２０  掛かり穴。
【図１】
0003847474.tif 000002
【図２】
0003847474.tif 000003
【図３】
0003847474.tif 000004
【図４】
0003847474.tif 000005
【図５】
0003847474.tif 000006
【図６】
0003847474.tif 000007
【図７】
0003847474.tif 000008
【図８】
0003847474.tif 000009
【図９】
0003847474.tif 000010
【図１０】
0003847474.tif 000011
【図１１】
0003847474.tif 000012
【図１２】
0003847474.tif 000013
【図１３】
0003847474.tif 000014
【図１４】
0003847474.tif 000015